(57)【特許請求の範囲】
【請求項１】
スピーカが収納されたカプセルと、このカプセルを保持するハウジングと、このハウジングに一体に突出形成された支持部とから構成された左右一対のヘッドホンユニットと、
これらヘッドホンユニットとの間を支持部に対して伸縮自在とするスライド機構を介して連結するとともに一方のヘッドホンユニットから他方のヘッドホンユニットのスピーカに接続されるコードが挿通されたヘッドバンドと、
一方のヘッドホンユニットの支持部に配設され、コード巻取部材と、ヘッドバンド側に一部固定されるコードと、コード巻取部材をコードの巻取方向に付勢する弾性力蓄勢手段とから構成されたコード巻取機構と
を備え、
ヘッドバンドは、コード巻取機構のコード巻取部材からコードが繰出し動作又は巻取り動作されることにより、ヘッドホンユニットに対する伸縮動作が行われることを特徴とするヘッドホン装置。
【請求項２】
ヘッドホンユニットの支持部とヘッドバンドとの間に配設されたスライド機構は、支持部又はヘッドバンドの端部のいずれか一方側にスライド部材が設けられるとともに、他方側がこのスライド部材が挿脱される鞘状の収納部が形成されることによって構成され、
スライド部材は、コード巻取機構のコードが弾性力蓄勢手段の弾性力によってコード巻取部材に巻取習性を付与されることにより、収納部内に収納されてヘッドホンユニットとヘッドバンドの展開長さ寸法が小ならしめられた状態に保持されることを特徴とする請求項１に記載のヘッドホン装置。
【請求項３】
コード巻取部材は、外周部にコードが巻回される巻取部と、この巻取部の両側面部に張り出し形成されたフランジ部と、回転支点部とから構成され、コードは、巻取部の外周部に巻回されて、一方フランジ部に形成された引出し穴から引き出されて他方のカプセルに収納されたスピーカと接続されることを特徴とする請求項１に記載のヘッドホン装置。
【発明の詳細な説明】
【０００１】
【産業上の利用分野】
本発明は、左右一対のヘッドホンユニットをヘッドバンドによって連結するとともに、頭部に合わせて装着状態を調整自在とするアジャスト機構を備えたヘッドホン装置に関する。
【０００２】
【従来の技術】
ヘッドホン装置は、テープレコーダ、ディスクプレィヤー或いはラジオ受信機等の機器に、再生楽音や受信放送を良好な音質で周囲に迷惑を及ぼさずに聴取する等のために接続して用いられる。ヘッドホン装置は、一般にスピーカが収納されたカプセルと、このカプセルを保持するハウジングと、このハウジングに一体に突出形成された支持部とから構成された左右一対のヘッドホンユニットを、ヘッドバンドによって連結して構成されている。
【０００３】
ヘッドホン装置は、ヘッドバンドがヘッドホンユニットに対して引出し自在に構成され、頭部に装着した状態において、ヘッドホンユニットが両耳にそれぞれ対応位置するようにヘッドバンドが適当な長さに調整される。したがって、かかるヘッドホン装置においては、使用する都度左右のヘッドバンドの長さを調整しなければならないといった煩わしさがあった。
【０００４】
かかる問題点を解決するため、ヘッドホン装置には、良好な状態での装着を可能とするために、使用者の頭部に合わせて装着状態を調整自在とするアジャスト機構が設けられている。例えば、図７に示した従来のアジャスト機構を備えたヘッドホン装置１００は、左右の耳にあてがわれる一対のヘッドホンユニット１０１Ａ、１０１Ｂと、これらヘッドホンユニット１０１Ａ、１０１Ｂが両端部に一体的に組み合わされて支持されるとともに可撓性を有する全体略Ｕ字状のヘッドバンド１０２と、このヘッドバンド１０２の内周側に位置されて両端部がヘッドホンユニット１０１Ａ、１０１Ｂに連結されたサスペンダ１０３とから構成されている。
【０００５】
ヘッドホンユニット１０１Ａ、１０１Ｂは、詳細を省略するが、スピーカが内部に収納されるとともに外周部にクッション材が嵌着されたカプセルと、このカプセルを保持するハウジングと、このハウジングに一体に突出形成された支持部とから構成されている。ヘッドバンド１０２は、一般に頭部の最大寸法を想定した半径寸法を有して構成されており、左右に押し広げて使用者の頭部に装着されることにより、その弾性力によってヘッドホンユニット１０１Ａ、１０１Ｂを両耳に圧着させる。ヘッドホン装置１００は、サスペンダ１０３によって使用者の頭部への装着状態が保持され、このサスペンダ１０３を調整することによって、使用者の頭部の大きさに対する装着状態の調整が図られる。
【０００６】
すなわち、サスペンダ１０３は、中央部に使用者の頭部に当てがわれる円弧状のクッション部１０４と、このクッション部１０４の両端部からヘッドホンユニット１０１Ａ、１０１Ｂに対してそれぞれ引出し自在に連結されたベルト１０５Ａ、１０５Ｂとから構成されている。
【０００７】
したがって、ヘッドホン装置１００は、例えば図７（Ａ）に示すように、大きな頭部の使用者に装着されると、サスペンダ１０３のベルト１０５Ａ、１０５Ｂがヘッドホンユニット１０１Ａ、１０１Ｂから大きく引き出される。一方、ヘッドホン装置１００は、例えば同図（Ｂ）に示すように、比較的小さな頭部の使用者に装着される場合には、サスペンダ１０３のベルト１０５Ａ、１０５Ｂがヘッドホンユニット１０１Ａ、１０１Ｂに引き込まれる。ヘッドホン装置１００は、このようにベルト１０５Ａ、１０５Ｂの引出し量が調整されることにより、最適な状態で使用者の頭部に装着される。
【０００８】
図８に示した従来のヘッドホン装置１１０も、左右一対のヘッドホンユニット１１１Ａ、１１１Ｂと、これらヘッドホンユニット１１１Ａ、１１１Ｂが両端部に一体的に組み合わされて支持されるとともに可撓性を有する全体略Ｕ字状のヘッドバンド１１２と、サスペンダ１１３とから構成されている。サスペンダ１１３は、中央部に使用者の頭部に当てがわれる円弧状のクッション部１１４と、このクッション部１１４の両端部にそれぞれ連結されるとともにヘッドバンド１１２の内部に引き込まれたベルト１１５Ａ、１１５Ｂとから構成されている。ベルト１１５Ａ、１１５Ｂは、ヘッドバンド１１２の内部においてコイル部１１６によって連結されている。
【０００９】
したがって、ヘッドホン装置１１０は、使用者の頭部の大きさに合わせてコイル部１１６が伸縮されてサスペンダ１１３のベルト１１５Ａ、１１５Ｂのヘッドベルト１１６からの引出し量が調整され、最適な状態で使用者の頭部に装着される。
【００１０】
図９に示した従来のヘッドホン装置１２０も、左右一対のヘッドホンユニット１２１Ａ、１２１Ｂと、これらヘッドホンユニット１２１Ａ、１２１Ｂが両端部に一体的に組み合わされて支持されるとともに可撓性を有する全体略Ｕ字状のヘッドバンド１２２と、サスペンダ１２３とから構成されている。サスペンダ１２３は、中央部に使用者の頭部に当てがわれる円弧状のクッション部１２４と、このクッション部１２４の両端部にそれぞれ連結されるとともにヘッドホンユニット１２１Ａ、１２１Ｂの支持部１２６Ａ、１２６Ｂに引き込まれたベルト１２５Ａ、１２５Ｂとから構成されている。
【００１１】
ベルト１２５Ａ、１２５Ｂは、ヘッドホンユニット１２１Ａ、１２１Ｂの支持部１２６Ａ、１２６Ｂに配設された詳細を省略する巻取手段１２７Ａ、１２７Ｂにそれぞれ一端部が連結されている。これら巻取手段１２７Ａ、１２７Ｂには、ベルト１２５Ａ、１２５Ｂを巻取方向に付勢する弾性手段が内蔵されている。したがって、ヘッドホン装置１２０は、使用者の頭部の大きさに合わせてサスペンダ１２３のベルト１２５Ａ、１２５Ｂが巻取手段１２７Ａ、１２７Ｂから引き出され或いは引き込まれることによって引出し量が調整され、最適な状態で使用者の頭部に装着される。
【００１２】
図１０に示した従来のヘッドホン装置１３０も、左右一対のヘッドホンユニット１３１Ａ、１３１Ｂと、これらヘッドホンユニット１３１Ａ、１３１Ｂが両端部に一体的に組み合わされて支持されるとともに可撓性を有する全体略Ｕ字状のヘッドバンド１３２と、サスペンダ１３３とから構成されている。サスペンダ１３３は、中央部に使用者の頭部に当てがわれる円弧状のクッション部１３４と、一端部がこのクッション部１３４の両端部にそれぞれ連結されるとともに他端部がヘッドホンユニット１２１Ａ、１２１Ｂにそれぞれ連結されたベルト１３５Ａ、１３５Ｂとから構成されている。
【００１３】
ベルト１３５Ａ、１３５Ｂは、クッション部１３４の内部においてコイル部１３６を介して一体に連結されている。したがって、ヘッドホン装置１３０は、使用者の頭部の大きさに合わせてコイル部１３６が伸縮されてサスペンダ１３３のベルト１３５Ａ、１３５Ｂのクッション部１３４からの引出し量が調整され、最適な状態で使用者の頭部に装着される。
【００１４】
【発明が解決しようとする課題】
上述した従来のアジャスト機構を備えたヘッドホン装置は、いずれも、使用者の頭部の最大寸法を想定した半径寸法を有するヘッドバンドと、このヘッドバンドの内側に位置されたサスペンダとを備えて構成されるため、調整操作を不要として最適な状態で装着することができるといった特徴を有するが、全体として大型化し、例えば携帯に不便であるといった問題点があった。
【００１５】
したがって、本発明は、装着に際して調整操作を不要としかつ小型化を図ったヘッドホン装置を提供することを目的に提案されたものである。
【００１６】
【課題を解決するための手段】
この目的を達成した本発明に係るヘッドホン装置は、スピーカが収納されたカプセルとこのカプセルを保持するハウジングとこのハウジングに一体に突出形成された支持部とから構成された左右一対のヘッドホンユニットと、これらヘッドホンユニットとの間を支持部に対して伸縮自在とするスライド機構を介して連結するとともに一方のヘッドホンユニットから他方のヘッドホンユニットのスピーカに接続されるコードが挿通されたヘッドバンドと一方のヘッドホンユニットの支持部に配設されたコード巻取機構とから構成される。コード巻取機構は、コード巻取部材と、ヘッドバンド側に一部が固定されるコードと、コード巻取部材をコードの巻取方向に付勢する弾性力蓄勢手段とから構成される。
【００１７】
【作用】
以上のように構成された本発明に係るヘッドホン装置によれば、使用時に頭部に装着されることにより、コード巻取機構のコード巻取部材からコードが繰出し動作されてヘッドバンドがヘッドホンユニットから引き延ばし動作されて使用者の頭部の大きさに適合した大きさとなり、最適な状態で使用者の頭部に装着される。ヘッドホン装置は、使用後に頭部から取り外されると、弾性力蓄勢手段に蓄勢された弾性力によってコード巻取部材が復帰回転動作して繰り出したコードを巻き取ることにより、ヘッドバンドがヘッドホンユニット側に収縮した初期状態へと復帰する。
【００１８】
【実施例】
以下、本発明の前提となるヘッドホン装置について、図面を参照しながら説明する。前提となるヘッドホン装置１は、図３に示すように左右一対のヘッドホンユニット２（２Ｌ、２Ｒ）と、これらヘッドホンユニット２をヒンジ機構４（４Ｌ、４Ｒ）を介してそれぞれ耳当たり角度を調整自在に支持する支持部３（３Ｌ、３Ｒ）及びヘッドバンド５とから構成されている。ヘッドホンユニット２は、従来のヘッドホンユニットと同様に、スピーカ６（６Ｌ、６Ｒ）が収納されたカプセル７（７Ｌ、７Ｒ）と、このカプセル７を保持するハウジング８（８Ｌ、８Ｒ）とから構成されている。
【００１９】
支持部３は、図４に示すように、断面チャンネル状の基材３Ａとカバー３Ｂとを組み合わせて構成されており、一端部の内側面にヘッドホンユニット２が上述したヒンジ機構４によって首振り自在に支持されている。なお、この支持部３は、ヘッドホンユニット２のハウジング８と一体に形成してもよいことは勿論である。
【００２０】
支持部３には、他端部側にヘッドバンド５の先端部にそれぞれ設けられたスライド片９（９Ｌ、９Ｒ）をスライド自在に収納する鞘部１０（１０Ｒ、１０Ｌ）が形成されている。さらに、支持部３には、ピアノ線等の弾力性かつ充分な機械的特性を有する所定長さの線材１１（１１Ｌ、１１Ｒ）が巻き取られる線材巻取機構２０（２０Ｌ、２０Ｒ）が配設されている。線材１１は、引出し側がヘッドバンド５のスライド片９にそれぞれ連結されている。
【００２１】
ヘッドバンド５は、金属弾性板或いは合成樹脂を材料として断面がチャンネル状の部材とカバーとを組み合わせ、材料特性によって全体として可撓性を有する半円弧状を呈して形成されている。このヘッドバンド５は、最小と想定される使用者の頭部寸法に合わせた内径寸法を有して構成されている。したがって、ヘッドホン装置１は、通常状態において小型化が図られている。なお、ヘッドバンド５は、複数の円弧状のバンド片を互いにヒンジ機構を介して連結することによって折畳み自在に構成することにより、通常状態の形状をさらに小型化してもよいことは勿論である。また、ヘッドバンド５は、断面チャンネル状の一方の部材によって構成し、その内面に後述する給電コード１２を沿わせた状態でクッション材を充填して構成してもよい。
【００２２】
スライド片９は、薄厚の金属弾性板によって形成されており、先端部には楔状のストッパ部９Ａが一体に形成されている。スライド片９は、上述したようにヘッドバンド５が最小と想定される使用者の頭部寸法に合わせた内径寸法を有しており、このヘッドホン装置１を頭部寸法が大きな使用者でも使用可能とする長さ寸法に形成されている。ストッパ部９Ａは、スライド片９が鞘部１０から一定量スライド動作された状態において、鞘部１０に形成した図示しないストッパ凹部と相対係合することにより、スライド片９の抜け止めを行う。なお、このスライド片９は、例えばヒンジ機構を介してヘッドバンド５の先端部に連結することにより折畳み自在に構成してもよいことは勿論である。
【００２３】
ヘッドホン装置１は、一方のヘッドホンユニット２Ｒ側からカプセル７Ｒに内蔵されたスピーカ６Ｒへ給電するための給電コード１２が引き出されている。この給電コード１２は、支持部３Ｒからヘッドバンド５の内部を貫通して他方のヘッドホンユニット２Ｌ側へと導かれてカプセル７Ｌに内蔵されたスピーカ６Ｌへの給電を行う。
【００２４】
線材巻取機構２０は、後述するように線材１１を巻取方向に付勢するコイルスプリング３２が内蔵されており、このコイルスプリング３２の弾性力によってスライド片９を鞘部１０の内部へと引き込む方向に付勢している。コイルスプリング３２の弾性力は、スライド片９が鞘部１０内をスライド動作させる動作力、すなわちスライド片９の自重、スライド抵抗の合力と均り合っており、ヘッドホン装置１が頭部に装着された状態において耳に当てられたヘッドホンユニット２を最適に保持する。
【００２５】
ヘッドホン装置１は、使用者の頭部に装着されることにより、図２に示すように、ヘッドバンド５が頭部の大きさに対応してヘッドホンユニット２の支持部３から引き延ばされて適当な状態に調整される。すなわち、ヘッドホン装置１は、ヘッドバンド５が引き延ばされることにより、図１矢印で示すように、コイルスプリング３２の弾性力に抗して線材巻取機構２０から線材１１が引き出されてスライド片９を鞘部１０に沿って外方へと移動動作させ、これによってヘッドバンド５が頭部の大きさに対応して調整される。
【００２６】
線材巻取機構２０は、図４に示すように、支持部３を構成する基材３Ａとカバー３Ｂとの内部に形成した軸受け部２１、２２間に回転自在に支持した線材巻取部材２５と、この線材巻取部材２５を線材１１の巻取方向に付勢するコイルスプリング３２とから構成されている。基材３Ａ側の軸受け部２１は、内部にコイルスプリング収納空間部２３が形成された筒状部として構成されており、底面部にはコイルスプリング３２の一端部３２Ａが掛け止めされるスプリング掛止め部２４が設けられている。カバー３Ｂ側の軸受け部２２は、基材３Ａの対向壁に凹設した軸穴によって構成されている。
【００２７】
線材巻取部材２５は、軸受け部２１の外径寸法とほぼ等しい内径寸法の有底軸穴２７を有する筒状の基部２６と、この基部２６の軸方向の両側面部に互いに一体に張り出し形成された一対のフランジ部２８、２９と、基部２６の一方側面部に一体に突出形成された軸部３０及び軸穴２７の底面部に設けられたスプリング掛止め部３１とから構成されている。基部２６には、フランジ部２８、２９間の外周部に線材１１の一端部が固定されるとともに所定長さが巻回される。
【００２８】
線材巻取部材２５は、軸穴２７を基材３Ａの軸受け部２１に軸装するとともに軸部３０をカバー３Ｂ側に形成した軸受け部２２に嵌合することにより、支持部３の内部に回転自在に配設される。また、線材巻取部材２５は、基材３Ａのスプリング掛止め部２４に一端部３２Ａが掛け止めされたコイルスプリング３２の他端部３２Ｂがスプリング掛止め部３１に掛け止めされる。コイルスプリング３２は、基材３Ａと線材巻取部材２５との間に、線材巻取部材２５の基部２６の外周部に巻回された線材１１を巻取方向に付勢するようにしてやや捩じられた状態で掛け渡されている。
【００２９】
線材巻取機構２０は、このように線材巻取部材２５の内部に線材１１を巻取方向に付勢するコイルスプリング３２を内蔵した構成を採用することにより、限られたスペース内においてコイルスプリング３２の大きな有効巻数と直径を得ることが可能となる。
【００３０】
なお、線材巻取機構２０は、例えば線材巻取部材２５が回転位置で一旦保持される周知のクリックストッパ機構を付設し、引出し操作された線材１１が引出し位置で保持されるように構成してもよい。クリックストッパ機構は、保持された線材１１をさらに引出し方向に強く引き出すことによって線材巻取部材２５の保持動作が解除されて線材１１の巻取動作を可能とする。また、線材巻取部材２５に対して線材１１の巻取方向に付勢するコイルスプリング３２については、両端を線材巻取部材２５と支持部３とに固定されたゼンマイバネ等の他の弾性力蓄勢手段によって構成してもよいことは勿論である。
【００３１】
以上のように構成された線材巻取機構２０は、上述したようにヘッドホン装置１が使用者の頭部に装着されてスライド片９が鞘部１０内をスライド動作してヘッドバンド５が支持部３から引き延ばされることにより、線材１１が基部２６の外周部から引き出される。線材巻取機構２０は、線材１１の引出し動作に伴って基部２６が回転動作することにより、コイルスプリング３２を捩り上げて線材１１を巻き取る方向の弾性力を次第に蓄勢する。
【００３２】
線材巻取機構２０は、使用後にヘッドホン装置１が頭部から取り外されることにより、引き出された線材１１が蓄勢されたコイルスプリング３２の弾性力によって線材巻取部材２５の基部２６に巻き取られる。ヘッドホン装置１は、この線材１１の巻取動作によって引き出されたスライド片９が鞘部１０内に収納され、小型化された自然状態へと復帰する。
【００３３】
ヘッドホン装置１は、上述したように一方のヘッドホンユニット２Ｒ側から引き込まれてヘッドバンド５の内部を貫通して他方のヘッドホンユニット２Ｌ側へと導かれる給電コード１２が備えられている。図５及び図６に本発明のヘッドホン装置を示す。本発明の実施例として示したヘッドホン装置のコード巻取機構５０は、この給電コード１２がスライド片９を鞘部１０に引き込むための線材１１として兼用されている。この場合、給電コード１２は、断線の発生を防止するために本発明の前提となるヘッドホン装置１の給電コード１２と比較して機械的特性の向上を図ったコードを使用する。
【００３４】
コード巻取機構５０は、対応する部材にそれぞれ同一符号を付して示すように基本構成を上述した本発明の前提となる線材巻取機構２０とほぼ同様とし、支持部３の基材３Ａとカバー３Ｂに形成した軸受け部２１、２２間に回転自在に支持されたコード巻取部材２５と、このコード巻取部材２５を給電コード１２の巻取方向に付勢するコイルスプリング３２とから構成されている。
【００３５】
コード巻取部材２５は、軸受け部２１の外径寸法とほぼ等しい内径寸法の軸穴２７を有する筒状の基部２６と、この基部２６の軸方向の両側面部に互いに一体に張り出し形成された一対のフランジ部２８、２９と、基部２６の一方側面部に一体に突出形成された軸部３０及び軸穴２７の底面部に設けられたスプリング掛止め部３１とから構成されている。
【００３６】
コード巻取部材２５は、軸穴２７を基材３Ａの軸受け部２１に軸装するとともに軸部３０をカバー３Ｂ側に形成した軸受け部２２に嵌合することにより、支持部３の内部に回転自在に配設される。また、コード巻取部材２５は、基材３Ａのスプリング掛止め部２４に一端部３２Ａが掛け止めされたコイルスプリング３２の他端部３２Ｂがスプリング掛止め部３１に掛け止めされる。コイルスプリング３２は、基材３Ａとコード巻取部材２５との間に、コード巻取部材２５の基部２６の外周部に巻回された給電コード１２を巻取方向に付勢するようにしてやや捩じられた状態で掛け渡されている。
【００３７】
コード巻取部材２５には、フランジ部２９の外側面２９Ａとカバー３Ｂの内面３３との間に給電コード１２の引出し空間部３４を構成するために、軸部３０の外周部に軸穴２２の穴径よりもやや大径の段部３６が一体に形成されている。また、コード巻取部材２５には、給電コード１２が巻回される基部２６の外周部と引出し空間部３４との間を連通するコード引出し穴３５がフランジ部２９に形成されている。
【００３８】
コード巻取部材２５には、基部２６のフランジ部２８、２９間の外周部にヘッドホンユニット２に引き込まれた給電コード１２が、その一端部１２Ｂ側を、スライド片９の最大スライド動作量に対応する長さ分を巻回される。給電コード１２は、他端部１２Ａが基部２６の外周部からフランジ部２９に設けたコード引出し穴３５を介して引出し空間部３４へと引き出され、図６に示すように先端にスピーカ６が接続される。この場合、給電コード１２は、同図に示すように、引出し空間部３４において略々一周巻回して弛みを持たせた後にスピーカ６と接続されることにより、曲げ応力に対する負担が軽減される。
【００３９】
給電コード１２は、一方のヘッドホンユニット２Ｒ側のコード巻取機構５０Ｒから引き出された一端部１２Ａが支持部３及びスライド片９を介してヘッドバンド５の内部を貫通されて他方のカプセル７Ｒに内蔵されたスピーカ６Ｒと接続される。この場合、給電コード１２は、スライド片９に接着剤或いは超音波溶着等によってしっかりと固定される。
【００４０】
以上のように構成されたコード巻取機構５０は、上述したようにヘッドホン装置１が使用者の頭部に装着されることにより、頭部の大きさに合わせてスライド片９が鞘部１０内をスライド動作してヘッドバンド５が支持部３から引き延ばされて給電コード１２がコード巻取部材２５の基部２６から引き出される。コード巻取機構５０は、給電コード１２の引出し動作に伴って基部２６が回転動作することにより、コイルスプリング３２を捩り上げて給電コード１２を巻き取る方向の弾性力を次第に蓄勢する。
【００４１】
コード巻取機構５０は、使用後にヘッドホン装置１が頭部から取り外されることにより、引き出された給電コード１２が蓄勢されたコイルスプリング３２の弾性力によってコード巻取部材２５の基部２６に巻き取られる。ヘッドホン装置１は、この給電コード１２の巻取動作によって引き出されたスライド片９が鞘部１０内に収納され、小型化された自然状態へと復帰する。
【００４２】
このコード巻取機構５０を備えたヘッドホン装置１によれば、ヘッドホンユニット２とスライド片９とを連結する線材１１が給電コード１２によって兼用されるために、部品数並びに構造が簡易化される。
【００４３】
本発明は、上述した実施例に限定されるものではなく、例えば、給電コード１２を備えない赤外線コードレス型のヘッドホン装置にも適用され、支持部３に配設された受信回路部等の結線を線材１１に兼用して支持部３とスライド片９との連結が行われる。また、コード巻取機構５０は、上述したように極めて小型であってヘッドバンド５の内部に配設することも可能であり、スライド片９を支持部３側に設けてもよいことは勿論である。
【００４４】
【発明の効果】
以上詳細に説明したように、本発明に係るヘッドホン装置によれば、ヘッドホンユニットとヘッドバンドとを伸縮自在に結合するとともにこれらヘッドホンユニットとヘッドバンドとを給電コードによって連結しかつこの給電コードをコード巻取機構によって繰出し動作又は巻取り動作するように構成したことにより、事前の調整操作を行うことなく使用者の頭部に装着操作されると、その大きさに合わせてヘッドホンユニットに対してヘッドバンドの伸縮動作が行われて良好な状態での装着が行われる。また、ヘッドホン装置は、ヘッドバンドを小型に構成することができるため、全体の小型化が達成され、携帯用に極めて好適である。さらにまた、ヘッドホンユニットとヘッドバンドとを連結する線材が給電コードによって兼用されるため、部品数並びに構造を簡易化することができる。
【図面の簡単な説明】
【図１】  本発明の前提となるヘッドホン装置の基本構成を説明する基本構成図である。
【図２】  同ヘッドホン装置を頭部に装着した状態を示す、一部透視正面図である。
【図３】  同ヘッドホン装置の要部側面図である。
【図４】  同ヘッドホン装置に備えられる線材巻取機構の構成を説明する要部縦断面図である。
【図５】  同線材巻取機構の本発明の実施例として示すコード巻取機構の構成を説明する要部縦断面図である。
【図６】  同コード巻取機構の基本構成を説明する要部平面図である。
【図７】  従来のヘッドホン装置の使用状態を説明する図であり、同図（Ａ）は頭部が大きい使用者の使用状態を示し、同図（Ｂ）は頭部が小さい使用者の使用状態を示す。
【図８】  従来の他のヘッドホン装置の基本構成を説明する構成説明図である。
【図９】  従来のさらに他のヘッドホン装置の基本構成を説明する構成説明図である。
【図１０】  従来のさらに他のヘッドホン装置の基本構成を説明する構成説明図である。
【符号の説明】
１  ヘッドホン装置
２  ヘッドホンユニット
３  支持部
５  ヘッドバンド
６  スピーカ
７  カプセル
８  ハウジング
９  スライド片（スライド機構）
１１  線材
１２  給電コード（コード）
２０  線材巻取機構
２５  コード巻取部材
３２  コイルスプリング（弾性力蓄勢手段）
【図１】
0003769769.tif 000002
【図２】
0003769769.tif 000003
【図３】
0003769769.tif 000004
【図４】
0003769769.tif 000005
【図５】
0003769769.tif 000006
【図６】
0003769769.tif 000007
【図７】
0003769769.tif 000008
【図８】
0003769769.tif 000009
【図９】
0003769769.tif 000010
【図１０】
0003769769.tif 000011